(57)【要約】【課題】脱硫器、改質器、ＣＯ変成器、ＣＯ除去器内におけるガスの偏流をなくし温度分布を均一にし、各反応器を一体化して、各反応器での余剰熱を回収して有効に使用して各反応器を最適温度に精度よくコントロールでき、熱効率が高く、構造が簡単で安価で、小型化可能な燃料電池用水素発生装置の提供。【解決手段】脱硫器と、改質器３と、燃焼用燃料の燃焼により前記改質反応に必要な熱量を与える加熱手段６と、ＣＯ変成器９と、ＣＯ除去器１０とを備えた燃料電池用水素発生装置１において、前記脱硫器、改質器３、ＣＯ変成器９、ＣＯ除去器１０の内の少なくとも１つの反応容器が前記燃焼の空間をとりまくコイル状形状を有する燃料電池用水素発生装置を用いる。【選択図】        図１
2004185942.tif 000002
【特許請求の範囲】
【請求項１】
水素原子を分子中に有する有機化合物を含有する燃料中に含まれる硫黄分を脱硫する脱硫器と、脱硫した燃料と水を反応させて水素リッチなガスに改質する改質用触媒を具備した改質器と、燃焼用燃料の燃焼により前記改質反応に必要な熱量を与える加熱手段と、前記改質器から流出する改質ガス中に含まれる一酸化炭素を水と反応させて二酸化炭素に変成するＣＯ変成器と、ＣＯ変成器から流出する変成ガス中に含まれる一酸化炭素を空気または酸素と反応させて二酸化炭素にする選択酸化触媒を具備したＣＯ除去器とを備えた燃料電池用水素発生装置において、
前記脱硫器、改質器、ＣＯ変成器、ＣＯ除去器の内の少なくとも１つの反応容器が前記燃焼の空間をとりまくコイル状形状を有することを特徴とする燃料電池用水素発生装置。
【請求項２】
中心部に前記加熱手段の燃焼バーナを配置し、その外側に各反応器が概同心円状になるように配置するとともに、前記改質器の反応コイルの外径が前記ＣＯ変成器およびＣＯ除去器の内径よりも小さくしたことを特徴とする請求項１記載の燃料電池用水素発生装置。
【請求項３】
内側から外側に向けて前記改質器、ＣＯ変成器、ＣＯ除去器の順に配置したことを特徴とする請求項１あるいは請求項２記載の燃料電池用水素発生装置。
【請求項４】
前記改質器とＣＯ変成器の間に断熱手段を配置したことを特徴とする請求項１から請求項３のいずれかに記載の燃料電池用水素発生装置。
【請求項５】
前記改質器の反応コイルのガス出口が前記加熱手段側に位置し、前記反応コイルのガス入口からガス出口に向かうガス流れ方向が、前記加熱手段の燃焼ガスの流れ方向と対向するように構成されていることを特徴とする請求項１から請求項４のいずれかに記載の燃料電池用水素発生装置。
【請求項６】
前記脱硫器、改質器、ＣＯ変成器、ＣＯ除去器の内の少なくとも１つの反応コイルを構成する管同士の間にクリアランスを設けたことを特徴とする請求項１から請求項５のいずれかに記載の燃料電池用水素発生装置。
【請求項７】
前記改質器の外側に間隔を置いて前記改質器を包囲する外壁を形成し、前記間隙を燃焼ガスが流れる経路とすることを特徴とする請求項６記載の燃料電池用水素発生装置。
【請求項８】
内側に前記改質器を配置し、その外側にＣＯ変成器とＣＯ除去器とを概並列に配置したことを特徴とする請求項２記載の燃料電池用水素発生装置。
【請求項９】
前記改質器と概並列に配置したＣＯ変成器とＣＯ除去器の間に断熱手段を配置したことを特徴とする請求項８記載の燃料電池用水素発生装置。
【請求項１０】
前記脱硫器、改質器、ＣＯ変成器、ＣＯ除去器の内の少なくとも１つの反応コイルを構成する管同士の間にクリアランスを設けたことを特徴とする請求項８あるいは請求項９記載の燃料電池用水素発生装置。
【請求項１１】
前記改質器の外側に間隔を置いて前記改質器を包囲する外壁を形成し、前記間隙を燃焼ガスが流れる経路とすることを特徴とする請求項８あるいは請求項９記載の燃料電池用水素発生装置。
【発明の詳細な説明】
【０００１】
【発明の属する技術分野】
本発明は、燃料電池用水素発生装置に関するものであり、さらに詳しくは、都市ガスなどの原料炭化水素系燃料ガスの水蒸気改質により水素リッチガスを生成して燃料電池などに供給する燃料電池用水素発生装置に関するものである。
【０００２】
【従来の技術】
従来、都市ガスなどの原料炭化水素系燃料ガスを水蒸気改質して水素リッチガスを生成し、得られた水素リッチガスの化学エネルギーを燃料電池によって直接電気エネルギーに変換するシステムが知られている。
【０００３】
燃料電池は、水素と酸素を燃料とするものであり、この水素の生成には、天然ガスなどの炭化水素成分、メタノールなどのアルコール、あるいはナフサなどの分子中に水素原子を有する有機化合物を原料とし、水蒸気で改質する方法が広く用いられている。このような水蒸気を用いた改質反応は吸熱反応である。このため、水蒸気改質を効率よく行うためには水素発生装置は、原料、および水蒸気、改質触媒を加熱して高温にする必要があるが、反応器の熱効率を考えた場合、この時消費する熱量をできるだけ少なくすることが望ましい。
【０００４】
一方、都市ガスなどの有機化合物を原燃料ガスとするとガス漏れ検知のためにターシャリーブチルサルファイドなどの有機硫黄系化合物の付臭剤が添加されている。硫黄分が原料燃料ガス中に含まれると、水素リッチガスを生成する際に、改質器、ＣＯ変成器の各触媒が被毒されて活性が低下するため、予め脱硫器にて硫黄分の除去が行なわれる。
脱硫した燃料ガスを水蒸気で改質する反応は水素や二酸化炭素の生成の他に一酸化炭素を副生成する。溶融炭酸塩形などの高温タイプの燃料電池は、水蒸気改質時に副生成した一酸化炭素も燃料として利用することができる。しかし、動作温度の低い固体高分子形燃料電池やりん酸形燃料電池では、電池電極として使用する白金系触媒が一酸化炭素により被毒されるため、十分な発電特性が得られなくなる。そこで動作温度の低い燃料電池に用いる水素発生装置は、改質後の改質ガス中に含まれる一酸化炭素と、水を反応させるためのＣＯ変成器を設ける。また、りん酸形燃料電池よりもさらに動作温度が低い固体高分子形燃料電池では発電特性を落とさないために、さらに、一酸化炭素を数十ｐｐｍ以下まで低減するＣＯ除去器を設ける。ＣＯ除去器には一般に一酸化炭素を選択的に酸化させ一酸化炭素を低減するＣＯ選択酸化方式が用いられる。
【０００５】
以上のように、動作温度が低い固体高分子形燃料電池用の燃料としてナフサなどを原料として改質して水素を生成する時は、有機化合物の水蒸気改質反応、一酸化炭素の変成反応、一酸化炭素の選択酸化反応が必要とされる。
上記各過程における反応は、反応温度が大きく異なるため、各反応器が適正温度になるよう制御することが重要である。有機化合物の水蒸気改質反応温度を最も高くし、次いで、一酸化炭素の変成反応、一酸化炭素の選択酸化反応と順に反応温度を低くする必要がある。また、水素発生装置としての運転効率を高くするためには各反応器で余剰熱を回収し、温度制御することが望まれる。
【０００６】
図３に従来の燃料電池用水素発生装置を示す（例えば、特許文献１参照）。
従来の燃料電池用水素発生装置３０は、原料炭化水素系燃料ガスと水蒸気を反応させて水素リッチなガスに改質する改質用触媒３１を具備した改質管３２と、燃料ガスを改質管３２に供給する燃料供給部３３と、水蒸気を改質管３２に供給する水供給部３４と、燃焼管３５での燃焼用燃料の燃焼により改質反応に必要な熱量を与える加熱手段３６と、改質管３２から流出する改質ガス中に含まれる一酸化炭素を水と反応させて二酸化炭素に変成するＣＯ変成器３７と、ＣＯ変成器３７から流出する変成ガス中に含まれる一酸化炭素を空気または酸素と反応させて二酸化炭素にする選択酸化触媒を具備した図示しないＣＯ除去器とを備えている。
【０００７】
原料炭化水素系燃料ガスは、水蒸気が添加された後に燃料供給部３３から改質管３２に送られる。水蒸気は、水蒸気発生器３８によりシステム内を流れる冷却水などの水が、例えば加熱手段３６で予熱され燃料電池装置の排熱と熱交換されることによって生成される。水蒸気が添加された燃料ガスは改質管３２の改質用触媒３１と接触して触媒反応（およそ７００℃、吸熱反応）により水素に富むガス（水素リッチガス）に水蒸気改質する。生成された水素リッチガスは一酸化炭素を含んでいるため、ＣＯ変成器３７にて余剰の水蒸気との反応（およそ２００〜３００℃、発熱反応）により一酸化炭素を二酸化炭素に変成する。ＣＯ変成器３７から流出する変成ガス中に含まれる一酸化炭素を図示しないＣＯ除去器の選択酸化触媒と接触させて空気または酸素と反応（およそ１００〜２００℃、発熱反応）させて二酸化炭素にして、一酸化炭素濃度の低い水素リッチガスに改質する。
上記のようにして得られた水素リッチガスは、燃料電池３９の水素極３９ａに連続的に供給されて、空気極３９ｂに供給される空気との間で電池反応を起こして発電する。
【０００８】
燃料ガスまたは燃料電池３９から排出される未反応水素ガスなどの燃焼用燃料を燃焼するバーナ４０などからなる加熱手段３６を燃料電池用水素発生装置３０に取り付け、燃焼管３５内での燃焼により改質管３２における改質反応に必要な熱量を与え、改質用触媒３１の温度を昇温し触媒作用を高めている。
【０００９】
一方、ＣＯ変成器を外付けせずに、改質器の壁面の外周に沿ってＣＯ変成器を設け、改質器出口に熱交換器を設置してＣＯ変成器に入る改質ガスの温度を制御するようにした燃料電池用改質システムが提案されている（例えば、特許文献２参照）。
【００１０】
また、燃焼管内に鉛直方向に多数の独立した改質管を備えそれぞれの改質管内で改質反応を行うようにした燃料電池用改質器が提案されている（例えば、特許文献３、４参照）。
【００１１】
【特許文献１】
特開２０００−２８１３１３号公報
【特許文献２】
特許第３１０８２６９号
【特許文献３】
特開平７−３３４０２号公報
【特許文献４】
特開平７−２３２９０２号公報
【００１２】
【発明が解決しようとする課題】
従来の燃料電池用水素発生装置は、温度レベルの異なる反応器であるＣＯ変成器やＣＯ除去器を個別に制御するため改質器とは別置き（外付け）にしているため、配管の取り回しが必要となりシステム構成が複雑でコストアップになる上、熱ロスが生じ効率が低いという問題があった。
また、改質器の壁面の外周に沿ってＣＯ変成器を設け、改質器出口に熱交換器を設置してＣＯ変成器に入る改質ガスの温度を制御するようにした従来の燃料電池用改質システムは、熱交換器が必要なため構造が大きくなるという問題があった。
また燃焼管内に鉛直方向に多数の改質管を備えそれぞれの改質管内で改質反応を行うようにした燃料電池用改質器は、構造が複雑で高価である上、燃料ガスが偏流する恐れがあり、偏流すると温度むらができ、均一に改質反応が進行せず、性能が低下するという問題があった。
【００１３】
本発明の目的は、都市ガスなどの原料炭化水素系燃料ガスの水蒸気改質により水素リッチガスを生成して燃料電池などに供給する燃料電池用水素発生装置に関する従来の諸問題を解決して、反応温度が大きく異なる脱硫器、改質器、ＣＯ変成器、ＣＯ除去器内におけるガスの偏流をなくし温度分布を均一にして各反応をスムースに行うことができるようにするとともに、各反応器を一体化して、各反応器での余剰熱を回収して有効に使用して各反応器を最適温度に精度よくコントロールでき、熱効率が高く、構造が簡単で安価で、小型化可能な燃料電池用水素発生装置を提供することである。
【００１４】
【課題を解決するための手段】
前記課題を解決するための本発明の請求項１記載の燃料電池用水素発生装置は、水素原子を分子中に有する有機化合物を含有する燃料中に含まれる硫黄分を脱硫する脱硫器と、脱硫した燃料と水を反応させて水素リッチなガスに改質する改質用触媒を具備した改質器と、燃焼用燃料の燃焼により前記改質反応に必要な熱量を与える加熱手段と、前記改質器から流出する改質ガス中に含まれる一酸化炭素を水と反応させて二酸化炭素に変成するＣＯ変成器と、ＣＯ変成器から流出する変成ガス中に含まれる一酸化炭素を空気または酸素と反応させて二酸化炭素にする選択酸化触媒を具備したＣＯ除去器とを備えた燃料電池用水素発生装置において、
前記脱硫器、改質器、ＣＯ変成器、ＣＯ除去器の内の少なくとも１つの反応容器が前記燃焼の空間をとりまくコイル状形状を有することを特徴とする。
【００１５】
脱硫器、改質器、ＣＯ変成器、ＣＯ除去器の内の少なくとも１つをコイル状形状反応容器（コイル状形状とは、螺旋状、つづら折り状などの形状を包含するものである。以下コイル、反応コイルなどと称す）であると、従来の円筒型あるいは平板型の反応器に比べてガス流路の断面積が小さくなるため内部におけるガスの偏流がなくなり、温度分布を均一にできるとともに、反応容器の外部表面積が従来の円筒型あるいは平板型の反応器に比べて大きくとれるため、燃焼ガスとの良好な熱交換を行うことができるので、各反応をスムースに高効率で行うことができる。
【００１６】
本発明の請求項２記載の燃料電池用水素発生装置は、請求項１記載の燃料電池用水素発生装置において、中心部に前記加熱手段の燃焼バーナを配置し、その外側に各反応器が概同心円状になるように配置するとともに、前記改質器の反応コイルの外径が前記ＣＯ変成器およびＣＯ除去器の内径よりも小さくしたことを特徴とする。
【００１７】
中心部に加熱手段の燃焼バーナを配置し、その外側に改質器（およそ７００℃、吸熱反応）、ＣＯ変成器（およそ２００〜３００℃、発熱反応）、ＣＯ除去器（およそ１００〜２００℃、発熱反応）を配置できるので、簡素な構成とし、小型化可能にするとともに、各反応器での余剰熱を回収して有効に使用して、各反応器を最適温度に精度よくコントロールでき、熱効率が高い。
【００１８】
本発明の請求項３記載の燃料電池用水素発生装置は、請求項１あるいは請求項２記載の燃料電池用水素発生装置において、内側から外側に向けて前記改質器、ＣＯ変成器、ＣＯ除去器の順に配置したことを特徴とする。
【００１９】
反応温度の高い順に改質器（およそ７００℃、吸熱反応）、ＣＯ変成器（およそ２００〜３００℃、発熱反応）、ＣＯ除去器（およそ１００〜２００℃、発熱反応）と配置すれば、簡素な構成となり小型化が可能になるとともに、各反応器での余剰熱を回収して有効に使用して、各反応器を最適温度に精度よくコントロールでき、熱効率が高まる。
【００２０】
本発明の請求項４記載の燃料電池用水素発生装置は、請求項１から請求項３のいずれかに記載の燃料電池用水素発生装置において、前記改質器とＣＯ変成器の間に断熱手段を配置したことを特徴とする。
【００２１】
反応温度の最も高い改質器（およそ７００℃）は吸熱反応であるので、改質器とＣＯ変成器の間に断熱手段を配置すれば加熱手段のエネルギーを有効に吸熱反応に使えるとともに、ＣＯ変成器の反応温度を最適温度に精度よくコントロールでき、熱効率が高い。
【００２２】
本発明の請求項５記載の燃料電池用水素発生装置は、請求項１から請求項４のいずれかに記載の燃料電池用水素発生装置において、前記改質器の反応コイルのガス出口が前記加熱手段側に位置し、前記反応コイルのガス入口からガス出口に向かうガス流れ方向が、前記加熱手段の燃焼ガスの流れ方向と対向するように構成されていることを特徴とする。
【００２３】
改質器の反応コイルのガス出口が加熱手段側に位置し、前記反応コイルのガス入口からガス出口に向かうガス流れ方向が、加熱手段の燃焼ガスの流れ方向と対向するように構成されていれば加熱手段のエネルギーを有効に吸熱反応に使え、熱効率が高い。
【００２４】
本発明の請求項６記載の燃料電池用水素発生装置は、請求項１から請求項５のいずれかに記載の燃料電池用水素発生装置において、前記脱硫器、改質器、ＣＯ変成器、ＣＯ除去器の内の少なくとも１つの反応コイルを構成する管同士の間にクリアランスを設けたことを特徴とする。
【００２５】
前記クリアランスを経て燃焼ガスが流れるので、加熱手段のエネルギーを有効に各反応に使え、熱効率が高まる。
【００２６】
本発明の請求項７記載の燃料電池用水素発生装置は、請求項６記載の燃料電池用水素発生装置において、前記改質器の外側に間隔を置いて前記改質器を包囲する外壁を形成し、前記間隙を燃焼ガスが流れる経路とすることを特徴とする。
【００２７】
前記間隙を経て燃焼ガスが流れるので、加熱手段のエネルギーを有効に改質反応に使え、熱効率が高まる。
【００２８】
本発明の請求項８記載の燃料電池用水素発生装置は、請求項２記載の燃料電池用水素発生装置において、内側に前記改質器を配置し、その外側にＣＯ変成器とＣＯ除去器とを概並列に配置したことを特徴とする。
【００２９】
ＣＯ変成器とＣＯ除去器とを概並列に配置すれば、熱効率が高く、構造が簡単で安価で、一層小型化が可能となる。
【００３０】
本発明の請求項９記載の燃料電池用水素発生装置は、請求項８記載の燃料電池用水素発生装置において、前記改質器と概並列に配置したＣＯ変成器とＣＯ除去器の間に断熱手段を配置したことを特徴とする。
【００３１】
反応温度の最も高い改質器（およそ７００℃）は吸熱反応であるので、改質器と概並列に配置したＣＯ変成器とＣＯ除去器の間に断熱手段を配置すれば加熱手段のエネルギーを有効に吸熱反応に使えるとともに、ＣＯ変成器とＣＯ除去器の反応温度を最適温度に精度よくコントロールでき、熱効率が高まる。
【００３２】
本発明の請求項１０記載の燃料電池用水素発生装置は、請求項８あるいは請求項９記載の燃料電池用水素発生装置において、前記脱硫器、改質器、ＣＯ変成器、ＣＯ除去器の内の少なくとも１つの反応コイルを構成する管同士の間にクリアランスを設けたことを特徴とする。
【００３３】
前記クリアランスを経て燃焼ガスが流れるので、加熱手段のエネルギーを有効に各反応に使え、熱効率が高い。
【００３４】
本発明の請求項１１記載の燃料電池用水素発生装置は、請求項８あるいは請求項９記載の燃料電池用水素発生装置において、前記改質器の外側に間隔を置いて前記改質器を包囲する外壁を形成し、前記間隙を燃焼ガスが流れる経路とすることを特徴とする。
【００３５】
前記間隙を経て燃焼ガスが流れるので、加熱手段のエネルギーを有効に改質反応に使え、熱効率が高い。
【００３６】
【発明の実施の形態】
以下、図面により本発明の実施の形態を詳細に説明する。
（１）第１実施形態：
図１は、本発明の燃料電池用水素発生装置の１実施の形態を示す断面説明図である。
本発明の燃料電池用水素発生装置１は、水素原子を分子中に有する有機化合物を含有する燃料と水を反応させて水素リッチなガスに改質する改質用触媒２を具備したコイル状形状改質器３と、図示しない燃料ガス混合部より供給される燃料ガス／水蒸気混合ガスをコイル状形状改質器３に供給する燃料供給部４と、燃焼用燃料の燃焼により燃焼空間５を形成し改質反応に必要な熱量を与える加熱手段の燃焼バーナ６と、改質器３の外側に間隔を置いて改質器３を包囲する外壁７を形成し燃焼ガスが改質器３と外壁７との間隔を流れるようにし、そして改質器３より放熱される熱を断熱する断熱材８と、改質管３から流出する改質ガス中に含まれる一酸化炭素を水と反応させて二酸化炭素に変成するコイル状形状ＣＯ変成器９と、ＣＯ変成器９から流出する変成ガス中に含まれる一酸化炭素を空気または酸素と反応させて二酸化炭素にする選択酸化触媒を具備したコイル状形状ＣＯ除去器１０とを備えており、中心部に加熱手段の燃焼バーナ６が配置され、燃焼用燃料の燃焼により形成された燃焼空間５をとりまくように、コイル状形状改質管３、外壁７、断熱材８、コイル状形状ＣＯ変成器９、コイル状形状ＣＯ除去器１０がこの順に各々を概同心円状に配置されて構成されている。
【００３７】
１１は改質管３とＣＯ変成器９との間に配置された熱交換器であり、熱交換器１１により、改質管３より排出される高温ガス（４００℃以上）をＣＯ変成器９の反応温度である２００℃程度まで低減した後、ＣＯ変成器９に供給する。
１２はＣＯ変成器９とＣＯ除去器１０の間に配置された熱交換器であり、熱交換器１１により、ＣＯ変成器９より排出される高温ガス（２００〜３００℃）をＣＯ除去器１０の反応温度である２００℃以下に低減した後、ＣＯ除去器１０に供給する。
【００３８】
コイル状形状反応容器であると、従来の円筒型あるいは平板型の反応器に比べてガス流路の断面積が小さくなるため内部におけるガスの偏流がなくなり、温度分布を均一にできるとともに、反応容器の外部表面積が従来の円筒型あるいは平板型の反応器に比べて大きくとれるため、燃焼ガスとの良好な熱交換を行うことができるので、各反応をスムースに高効率で行うことができる。
【００３９】
コイル状形状とは前記のように螺旋状、つづら折り状などの形状を包含するものであるが、反応コイルの断面形状は丸でも、楕円でもよく、また多角形でもよく特に限定されるものではない。中でも、丸のコイル状形状は取り扱い易く、安価で本発明において好ましく使用できる１つであるが、放射熱や伝導熱を受け易いように燃焼ガスに対向する面の面積が大きくなるような形態の楕円などの形状のコイル状形状のものも本発明において好ましく使用できる１つである。
【００４０】
コイルを２重管にすることも好ましい。例えば、２重管の外側の管内に先ず燃料ガスを流して加熱して改質反応を行うとともに次いで２重管の内側の管内に燃料ガスを流してさらに改質反応を進めるようにすれば、熱効率を上げることができる上、小型化をさらに達成できる。
【００４１】
原料炭化水素系などの燃料ガスは、水蒸気が添加された後に燃料供給部４から改質管３に送られる。水蒸気は、図示しない水蒸気発生器により燃料電池システム内を流れる冷却水などの水が、燃焼用燃料の燃焼後の排ガスの排熱と熱交換されることによって生成される。水蒸気が添加された燃料ガスは改質管３の改質用触媒２と接触して触媒反応（およそ７００℃、吸熱反応）により水素に富むガス（水素リッチガス）に水蒸気改質する。生成された水素リッチガスは一酸化炭素を含んでいるため、ＣＯ変成器９にて余剰の水蒸気との反応（およそ２００〜３００℃、発熱反応）により一酸化炭素を二酸化炭素に変成する。ＣＯ変成器９から流出する変成ガス中に含まれる一酸化炭素をＣＯ除去器１０の選択酸化触媒と接触させて空気または酸素と反応（およそ１００〜２００℃、発熱反応）させて二酸化炭素に変換して、一酸化炭素濃度の低い水素リッチガスに改質する。
上記のようにして得られた水素リッチガスは、図示しない燃料電池の水素極に連続的に供給されて、空気極に供給される空気との間で電池反応を起こして発電する。
【００４２】
燃料ガスまたは燃料電池から排出される未反応水素ガスなどの燃焼用燃料を燃焼するバーナ６などからなる加熱手段を燃料電池用水素発生装置１に取り付け、燃焼用燃料の燃焼により改質管３における改質反応に必要な熱量を与え、改質用触媒２の温度を昇温し触媒作用を高めている。燃焼用燃料を燃焼後、排ガスは白矢印で示したように燃焼空間５を形成し上方に向かうが、改質管３の反応コイルを構成する管同士の間に図示しないクリアランスを設ければ、前記クリアランスを経て燃焼ガスが流れるので、加熱手段のエネルギーを有効に改質反応に使え、しかも改質器３の外側に間隔を置いて改質器３を包囲する外壁７を形成してあるのでこの間隙を経て燃焼ガスが流れるので、加熱手段６のエネルギーを有効に改質反応に使え、高熱効率を得ることができる。
【００４３】
断熱材８は、改質管３より放熱される熱を断熱でき熱効率の向上が図れ、望ましくは隣接するＣＯ変成器９とほぼ同じ温度（およそ２００〜３００℃）にその表面温度がなるように断熱材８の材質や厚みが選定されることが好ましい。断熱材８の材質は２００〜３００℃に維持できる材質であればよく、セラミックファイバー、アルミナ、シリカなどのケイ素系材質、ロックウールなどを挙げることができる。これらの中でもセラミックファイバー、アルミナ、シリカなどのケイ素系材質の粉末、粒子、粉末をかためた成形物などは耐熱性が高く、また熱伝達率が適当であるため、断熱材８の厚みを薄くでき、断熱材８の厚みを薄くしてもその表面温度が２００〜３００℃になる材質であるので、本発明において好ましく使用できる。
また、この断熱の手段としては断熱材のみならず、表面が鏡面仕上げとなっている鏡面状断熱部材を配置するか、もしくは、ＣＯ変成器９の内側の面を鏡面仕上げすることにより、改質管３からの放射熱を反射することが可能となる。
さらに、改質管からＣＯ変成器までの空間を真空にすることでも、断熱効果を得ることができる。
【００４４】
ＣＯ変成器９の最適温度は上記のようにおよそ２００〜３００℃であるが、２００℃未満では改質ガス中に含まれる一酸化炭素を水と反応させて二酸化炭素に変成する平衡反応（発熱反応）が進行しないかあるいは遅く、３００℃を超えると触媒が劣化し寿命が短くなる。
ＣＯ除去器１０の最適温度は上記のようにおよそ１００〜２００℃であるが、１００℃未満では変成ガス中に含まれる一酸化炭素を酸素または空気と反応させて二酸化炭素に変成する平衡反応（発熱反応）が進行しないかあるいは遅く、２００℃を超えると暴走反応がおきて水素が消費されてしまう問題が生じ、また触媒が劣化し寿命が短くなる恐れがある。
ＣＯ＋３Ｈ２  →ＣＨ４  ＋Ｈ２  Ｏ
ＣＯ２  ＋４Ｈ２  →ＣＨ４  ＋２Ｈ２  Ｏ
【００４５】
本発明の燃料電池用水素発生装置１は、中心部に加熱手段の燃焼バーナ６を配置し、その外側に各反応器が概同心円状になるように配置するとともに、改質器３の反応コイルの外径ｄがＣＯ変成器９の内径Ｄ１およびＣＯ除去器１０の内径Ｄ２よりも小さくしてあるので、反応温度の高い順に改質器３（およそ７００℃、吸熱反応）、ＣＯ変成器９（およそ２００〜３００℃、発熱反応）、ＣＯ除去器１０（およそ１００〜２００℃、発熱反応）となるように配置でき、簡素な構成とし、小型化可能にするとともに、各反応器での余剰熱を回収して有効に使用して、各反応器を最適温度に精度よくコントロールでき、熱効率が高い。
本発明の燃料電池用水素発生装置１は、改質器３の反応コイル内を流れる燃料の流れは下方に向かい、加熱手段の燃焼バーナ６の燃焼ガスの流れは上方に向かい、互いに対向するように構成されているので加熱手段の燃焼バーナ６のエネルギーを有効に吸熱反応に使え、熱効率が高い。
【００４６】
（２）第２実施形態：
図２は、本発明の燃料電池用水素発生装置の他の実施の形態を示す断面説明図である。
図２において、図１に示した符号と同じ符号のものは図１に示したものと同じものを示し、重複する説明を省略する。
図２に示したように、本発明の燃料電池用水素発生装置１Ａは、コイル状形状改質器３の外側にＣＯ変成器９とＣＯ除去器１０とを概並列に配置し、改質器３と概並列に配置したＣＯ変成器９とＣＯ除去器１０の間に外壁７および断熱材８を配置した以外は図１に示した本発明の燃料電池用水素発生装置１と同様になっている。
ＣＯ変成器９とＣＯ除去器１０とを概並列に配置すれば、熱効率が高く、構造が簡単で安価で、一層小型化が可能となる。外壁７を形成してあるので外壁７と改質器３との間隙を経て燃焼ガスが流れるので、加熱手段６のエネルギーを有効に改質反応に使え、高熱効率を得ることができ、また反応温度の最も高い改質器３（およそ７００℃）は吸熱反応であるので、改質器３と概並列に配置したＣＯ変成器９とＣＯ除去器１０の間に断熱材８を配置すれば加熱手段６のエネルギーを有効に吸熱反応に使えるとともに、ＣＯ変成器９とＣＯ除去器１０の反応温度を最適温度に精度よくコントロールでき、熱効率が高い。
【００４７】
上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【００４８】
【発明の効果】
本発明の請求項１記載の燃料電池用水素発生装置は、水素原子を分子中に有する有機化合物を含有する燃料中に含まれる硫黄分を脱硫する脱硫器と、脱硫した燃料と水を反応させて水素リッチなガスに改質する改質用触媒を具備した改質器と、燃焼用燃料の燃焼により前記改質反応に必要な熱量を与える加熱手段と、前記改質器から流出する改質ガス中に含まれる一酸化炭素を水と反応させて二酸化炭素に変成するＣＯ変成器と、ＣＯ変成器から流出する変成ガス中に含まれる一酸化炭素を空気または酸素と反応させて二酸化炭素にする選択酸化触媒を具備したＣＯ除去器とを備えた燃料電池用水素発生装置において、
前記脱硫器、改質器、ＣＯ変成器、ＣＯ除去器の内の少なくとも１つの反応容器が前記燃焼の空間をとりまくコイル状形状を有することを特徴とするものであり、従来の円筒型あるいは平板型の反応器に比べてガス流路の断面積が小さくなるため内部におけるガスの偏流がなくなり、温度分布を均一にできるとともに、反応容器の外部表面積が従来の円筒型あるいは平板型の反応器に比べて大きくとれるため、燃焼ガスとの良好な熱交換を行うことができるので、各反応をスムースに高効率で行うことができるという顕著な効果を奏する。
本発明の燃料電池用水素発生装置は、各反応器を一体化して、各反応器での余剰熱を回収して有効に使用して各反応器を最適温度に精度よくコントロールでき、熱効率が高く、構造が簡単で安価で、小型化可能であるという顕著な効果を奏する。
【００４９】
本発明の請求項２記載の燃料電池用水素発生装置は、請求項１記載の燃料電池用水素発生装置において、中心部に前記加熱手段の燃焼バーナを配置し、その外側に各反応器が概同心円状になるように配置するとともに、前記改質器の反応コイルの外径が前記ＣＯ変成器およびＣＯ除去器の内径よりも小さくしたことを特徴とするものであり、中心部に加熱手段の燃焼バーナを配置し、その外側に改質器（およそ７００℃、吸熱反応）、ＣＯ変成器（およそ２００〜３００℃、発熱反応）、ＣＯ除去器（およそ１００〜２００℃、発熱反応）を配置できるので、簡素な構成とし、小型化可能にするとともに、各反応器での余剰熱を回収して有効に使用して、各反応器を最適温度に精度よくコントロールでき、熱効率が高いというさらなる顕著な効果を奏する。
【００５０】
本発明の請求項３記載の燃料電池用水素発生装置は、請求項１あるいは請求項２記載の燃料電池用水素発生装置において、内側から外側に向けて前記改質器、ＣＯ変成器、ＣＯ除去器の順に配置したことを特徴とするものであり、反応温度の高い順に改質器（およそ７００℃、吸熱反応）、ＣＯ変成器（およそ２００〜３００℃、発熱反応）、ＣＯ除去器（およそ１００〜２００℃、発熱反応）と配置すれば、簡素な構成とし、小型化可能にするとともに、各反応器での余剰熱を回収して有効に使用して、各反応器を最適温度に精度よくコントロールでき、熱効率が高いというさらなる顕著な効果を奏する。
【００５１】
本発明の請求項４記載の燃料電池用水素発生装置は、請求項１から請求項３のいずれかに記載の燃料電池用水素発生装置において、前記改質器とＣＯ変成器の間に断熱手段を配置したことを特徴とするものであり、反応温度の最も高い改質器（およそ７００℃）は吸熱反応であるので、改質器とＣＯ変成器の間に断熱手段を配置すれば加熱手段のエネルギーを有効に吸熱反応に使えるとともに、ＣＯ変成器の反応温度を最適温度に精度よくコントロールでき、熱効率が高いというさらなる顕著な効果を奏する。
【００５２】
本発明の請求項５記載の燃料電池用水素発生装置は、請求項１から請求項４のいずれかに記載の燃料電池用水素発生装置において、前記改質器の反応コイル内を流れる燃料の流れ方向が、前記加熱手段の燃焼ガスの流れ方向と対向するように構成されていることを特徴とするものであり、改質器の反応コイル内を流れる燃料の流れ方向が、前記加熱手段の燃焼ガスの流れ方向と対向するように構成されていば加熱手段のエネルギーを有効に吸熱反応に使え、熱効率が高いというさらなる顕著な効果を奏する。
【００５３】
本発明の請求項６記載の燃料電池用水素発生装置は、請求項１から請求項５のいずれかに記載の燃料電池用水素発生装置において、前記脱硫器、改質器、ＣＯ変成器、ＣＯ除去器の内の少なくとも１つの反応コイルを構成する管同士の間にクリアランスを設けたことを特徴とするものであり、前記クリアランスを経て燃焼ガスが流れるので、加熱手段のエネルギーを有効に各反応に使え、熱効率が高いというさらなる顕著な効果を奏する。
【００５４】
本発明の請求項７記載の燃料電池用水素発生装置は、請求項６記載の燃料電池用水素発生装置において、前記改質器の外側に間隔を置いて前記改質器を包囲する外壁を形成し、前記間隙を燃焼ガスが流れる経路とすることを特徴とするものであり、前記間隙を経て燃焼ガスが流れるので、加熱手段のエネルギーを有効に改質反応に使え、熱効率が高いというさらなる顕著な効果を奏する。
【００５５】
本発明の請求項８記載の燃料電池用水素発生装置は、請求項２記載の燃料電池用水素発生装置において、内側に前記改質器を配置し、その外側にＣＯ変成器とＣＯ除去器とを概並列に配置したことを特徴とするものであり、ＣＯ変成器とＣＯ除去器とを概並列に配置すれば、熱効率が高く、構造が簡単で安価で、一層小型化が可能となるというさらなる顕著な効果を奏する。
【００５６】
本発明の請求項９記載の燃料電池用水素発生装置は、請求項８記載の燃料電池用水素発生装置において前記改質器と概並列に配置したＣＯ変成器とＣＯ除去器の間に断熱手段を配置したことを特徴とするものであり、反応温度の最も高い改質器（およそ７００℃）は吸熱反応であるので、改質器と概並列に配置したＣＯ変成器とＣＯ除去器の間に断熱手段を配置すれば加熱手段のエネルギーを有効に吸熱反応に使えるとともに、ＣＯ変成器とＣＯ除去器の反応温度を最適温度に精度よくコントロールでき、熱効率が高いというさらなる顕著な効果を奏する。
【００５７】
本発明の請求項１０記載の燃料電池用水素発生装置は、請求項８あるいは請求項９記載の燃料電池用水素発生装置において、前記脱硫器、改質器、ＣＯ変成器、ＣＯ除去器の内の少なくとも１つの反応コイルを構成する管同士の間にクリアランスを設けたことを特徴とするものであり、前記クリアランスを経て燃焼ガスが流れるので、加熱手段のエネルギーを有効に各反応に使え、熱効率が高いというさらなる顕著な効果を奏する。
【００５８】
本発明の請求項１１記載の燃料電池用水素発生装置は、請求項８あるいは請求項９記載の燃料電池用水素発生装置において、前記改質器の外側に間隔を置いて前記改質器を包囲する外壁を形成し、前記間隙を燃焼ガスが流れる経路とすることを特徴とするものであり、前記間隙を経て燃焼ガスが流れるので、加熱手段のエネルギーを有効に改質反応に使え、熱効率が高いというさらなる顕著な効果を奏する。
【図面の簡単な説明】
【図１】本発明の燃料電池用水素発生装置の１実施の形態を示す断面説明図である。
【図２】本発明の燃料電池用水素発生装置の他の実施の形態を示す断面説明図である。
【図３】従来の燃料電池用水素発生装置の断面説明図である。
【符号の説明】
１、１Ａ  本発明の燃料電池用水素発生装置
２  改質用触媒
３  コイル状形状改質管
４  燃料供給部
５  燃焼空間
６  燃焼バーナ
７  外壁
８  断熱材
９  コイル状形状ＣＯ変成器
１０  コイル状形状ＣＯ除去器
１１、１２  熱交換器
ｄ  改質器の反応コイルの外径
Ｄ１  ＣＯ変成器の反応コイルの内径
Ｄ２  ＣＯ除去器の反応コイルの内径
【図１】
2004185942.tif 000003
【図２】
2004185942.tif 000004
【図３】
2004185942.tif 000005